(57)【特許請求の範囲】
【請求項１】
椅子（１）の前脚（４）を形成する第１部材（６）と、
椅子（１）の後脚（５）を形成する第２部材（１６）と、
座板を形成する第３部材（２）と、
背もたれ板（３）とを備える折畳み椅子であって、
（ａ）３個の部材（６）（１６）（２）が、共通軸（Ａ）回りに往復枢動するための手段を備え、
（ｂ）往復枢動のための手段は、各部材の相対的な角度変位量を制限する制止手段（２１）（２２），（２７）（２８）を備えていて、椅子を、平らに折畳まれた状態と、折畳まれない使用状態とに設定することができるようになっている折畳み椅子において、
（ｃ）背もたれ板（３）が、３個の部材（６）（１６）（２）とは別個の第４の部材で形成され、かつ、共通軸（Ａ）回りに枢動可能に３個の部材の１つである第１部材（６）に枢着され、
（ｄ）背もたれ板（３）の後方への傾動にともなう第４部材（３）の回転に対して、逆向きに付勢するスプリング手段（３８）を備え、かつ、
（ｅ）第１部材（６）に対して第４部材（３）が枢動する角度変位量を制限するための補助の制止手段（４２）（４３）を備えていることを特徴とする傾動しうる背もたれ板を備える折畳み椅子。
【請求項２】
スプリング手段（３８）を、共通軸（Ａ）に沿って配置され、それぞれ第４部材（３）に枢着された第１部材（６）に係着された作動端と、第４部材（３）の一部を形成する各側面アーム（３０）に接続された逆側端とを有する、２個のねじりバネで構成したことを特徴とする請求項１に記載の傾動しうる背もたれ板を備える折畳み椅子。
【請求項３】
ねじりバネが、1個の板バネよりなり、この板バネの中央部が、第4部材(3)に枢着された第1部材(6)に作動可能に係着され、両端が、第4部材(3)の2個の側面アーム(30)に、それぞれ接続されていることを特徴とする請求項２に記載の傾動しうる背もたれ板を備える折畳み椅子。
【請求項４】
第１部材（６）は、Ｕ字形をなし、かつ、その両端に形成された２個のハブ（９）が共通軸（Ａ）上に配置された管軸（１０）の端部に固着され、第２部材（１６）は、同じくＵ字形をなし、かつ、その両端に形成された２個のハブ（１８）が、管軸（１０）の端部に回転可能に装着され、第３部材（２）は、同じく管軸（１０）に回転可能に装着され、第４部材（３）（３０）も、同じく管軸（１０）に回転可能に装着されており、制止手段は、第１部材（６）の各ハブ（９）と第２部材（１６）の各ハブ（１８）との間に介挿された制止手段（２１）（２２）と、第２部材（１６）の各ハブ（１８）と第３部材（２）との間に介挿された制止手段（２７）（２８）と、第１部材（６）の各ハブ（９）と背もたれ板（３）を備える第４部材（２９）の各ハブ（３１）との間に介挿された制止手段（４２）（４３）とを備えることを特徴とする請求項３に記載の傾動しうる背もたれ板を備える折畳み椅子。
【請求項５】
背もたれ板（３）を備える第４部材（２９）の各ハブ（３１）は、管軸（１０）の各端部内に回転可能に装着された円筒体（３４）に固着されるとともに、板バネ（３８）の各端部に接続されており、板バネ（３８）の中央部を、管軸（１０）に内方に突設した２個の突起（３９）に保持して、背もたれ板（３）の後方への傾動に対抗して付勢してあることを特徴とする請求項４に記載の傾動しうる背もたれ板を備える折畳み椅子。
【発明の詳細な説明】
【０００１】
【産業上の利用分野】
本発明は、折畳み椅子に関し、特に、椅子の前脚を形成する第１部材と、椅子の後脚を形成する第２部材と、椅子の座板を形成する第３部材と、背もたれ板とを備え、第１から第３の各部材が、共通の軸に往復枢動可能に枢着されており、往復枢動のための手段は、各部材の相対的な角度変位量を制限する制止手段を備えていて、平らに折畳まれた状態と、折畳まれない使用状態とに設定できるようになっている折畳み椅子に関する。
【０００２】
【従来の技術】
上記の形式の椅子は、本発明者によるアメリカ合衆国特許第３，７０５，７４４号明細書に記載され、かつ、図示されている。
【０００３】
この明細書に記載された公知の椅子は、背もたれ板が前脚に固定的に接続され、前脚を形成する第１部材を、一体的な部品として形成している。
【０００４】
より詳細には、この公知の手段では、椅子の背もたれ板と前脚とは、単一の長方形のフレームを形成しており、後脚は、Ｕ字状に形成されて、長方形のフレームの内側に配置されている。
【０００５】
座板は、別個の部材として形成され、かつ、Ｕ字形フレームの内側に配置されており、これらの３個の部材が、２個の蝶番により、共通の軸回りに互いに枢動可能に枢着されている。
【０００６】
各蝶番には、制止手段が設けられている。
【０００７】
各制止手段は、座板が、Ｕ字形フレームに対して同一面をなす位置から、Ｕ字形フレームに対してある角度を形成する位置まで、回転できるようになっている。
【０００８】
Ｕ字形フレームは、外側の長方形フレームに対して、同一面をなす位置から、ある角度を形成する位置まで回転することができる。
【０００９】
この手法により、上記の椅子は、完全に平らに折畳まれた状態と、折畳まれない使用状態とに設定することができる。
【００１０】
同時に、長方形フレームとＵ字形フレームとを開いた位置にして、椅子を床面に安定して立てた状態にしたときに、座板を、使用状態の位置から上方へ回転させると、２列に並べた椅子の間に、人が容易に通行できる通路が形成される。
【００１１】
すなわち、上述した公知の椅子は、便利で効率よく使用でき、構造がきわめて簡単かつ合理的であり、また、心理的な魅力を備えているものである。
【００１２】
【発明が解決しようとする課題】
本発明は、上述した公知の椅子が有するすべての利点を保持するとともに、特に、安楽な座り心地が得られるようにした、改善された椅子を提供することを目的とする。
【００１３】
【課題を解決するための手段】
上記の目的を達成するための本発明は、次のとおりに構成されている。
【００１４】
椅子の前脚を形成する第１部材と、
椅子の後脚を形成する第２部材と、
座板を形成する第３部材と、
背もたれ板とを備える折畳み椅子であって、
（ａ）３個の部材が、共通軸（Ａ）回りに往復枢動するための手段を備え、
（ｂ）往復枢動のための手段は、各部材の相対的な角度変位量を制限する制止手段を備えていて、椅子を、平らに折畳まれた状態と、折畳まれない使用状態とに設定することができるようになっている折畳み椅子において、
（ｃ）背もたれ板が、３個の部材とは別個の第４の部材で形成され、かつ、共通軸（Ａ）回りに枢動可能に３個の部材の１つである第１部材に枢着され、
（ｄ）背もたれ板の後方への傾動にともなう第４部材の回転に対して、逆向きに付勢するスプリング手段を備え、かつ、
（ｅ）第１部材に対して第４部材が枢動する角度変位量を制限するための補助の制止手段を備えていることを特徴とする傾動しうる背もたれ板を備える折畳み椅子。
【００１５】
スプリング手段を、共通軸（Ａ）に沿って配置され、それぞれ第４部材に枢着された第１部材に係着された作動端と、第４部材の一部を形成する各側面アームに接続された逆側端とを有する、２個のねじりバネで構成することが望ましい。
【００１６】
ねじりバネを、中央部が第４部材が枢着された第１部材に作動可能に係着され、両端が第４部材の２個の側面アームに、それぞれ接続された単一の板バネで形成することが望ましい。
【００１７】
第１部材は、Ｕ字形をなし、かつ、その両端に形成された２個のハブが共通軸（Ａ）上に配置された管軸の端部に固着され、第２部材は、同じくＵ字形をなし、かつ、その両端に形成された２個のハブが、管軸の端部に回転可能に装着され、第３部材は、同じく管軸に回転可能に装着され、第４部材も、同じく管軸に回転可能に装着されており、制止手段は、第１部材の各ハブと第２部材の各ハブとの間に介挿された制止手段と、第２部材の各ハブと第３部材との間に介挿された制止手段と、第１部材の各ハブと背もたれ板を備える第４部材の各ハブとの間に介挿された制止手段とを備えることが望ましい。
【００１８】
背もたれ板を備える第４部材の各ハブは、管軸の各端部内に回転可能に装着された円筒体に固着されるとともに、板バネの各端部に接続されており、板バネの中央部を、管軸に内方に突設した２個の突起に保持して、背もたれ板の後方への傾動に対抗して付勢してあることが望ましい。
【００１９】
【作用】
背もたれ板を独立して後方に傾動可能とし、かつ、スプリングにより前方へ向けて付勢することにより、背もたれ板を前脚に一体的に固着してある従来の折畳み椅子に比して、より快適な座り心地が得られる。
【００２０】
【実施例】
図１は、本発明の折畳み椅子を、使用時の状態とした側面図、図２は、同じく正面図、図３は、折畳んだ状態とした側面図である。
【００２１】
この折畳み椅子（１）は、座板（２）、背もたれ板（３）、１対の前脚（４）、及び１対の後脚（５）を備えている。
【００２２】
２個の前脚（４）は、望ましくは、下端にゴム製などの２個の足（８）が装着された床面に当接する中央部（７）を有し、Ｕ字形に形成された第１部材（６）の一部として形成されている。
【００２３】
Ｕ字形の第１部材（６）は、前脚（４）を形成する２個の側面部材と、それらの上端の１対のハブ（９）とを備えており、ハブ（９）は、後述するように、符号（Ａ）で示す軸線を有し、好ましくは金属板で作った管軸（１０）の両端に固着されている。（図４、図５参照）
【００２４】
図４は、図１のＩＶ−ＩＶ線における部分拡大断面図、図５は、図４のＶ−Ｖ線における断面図、図６は、椅子を使用状態としたときの図４のＶＩ−ＶＩ線における断面図、図７は、同じく椅子を折畳んだときの断面図、図８は、図４のＶＩＩＩ−ＶＩＩＩ線における断面図、図９は、椅子を折畳んだときの図８と同じ断面図、図１０は、図４のＸ−Ｘ線における断面図、図１１は、椅子を折畳んだときの図１０と同じ断面図である。
【００２５】
図１２及び図１３は、図６ないし図１１の詳細を示す拡大斜視図、図１４は、図４のＸＩＶ−ＸＩＶ線における断面図である。
【００２６】
図４、図５、及び図１２に示すように、金属板の管軸（１０）の両端は、ブッシュ（１１）に固着され、ブッシュ（１１）は、各前脚（４）の各ハブ（９）に固着されている。（図４及び図５には、片側のみを示し、図示しない逆側は、椅子の中心面（Ｓ）に対して対称的に構成されている）
【００２７】
図１２に示すように、各ブッシュ（１１）には、２個の切欠き（１２）（図１２には、１個のみを示す）が直径方向に対設されて、ハブ（９）の中心孔（１４）に内向きに突設された２個の歯（１３）に係合している。
【００２８】
ブッシュ（１１）の外端は、ブッシュ（１１）と同じ切欠きを設けたナイロン製などのブッシュ（１５）を介して、中心孔（１４）にきっちりと挿入されている。
【００２９】
ブッシュ（１５）の外周面は、製造時に円錐形に形成されているハブ（９）の中心孔（１４）に適合するように、円錐形に形成されている。すなわち、部材（６）を鋳造により製造する際に、部材を鋳型から抜き出す必要のために、中心孔（１４）は、円錐形に形成される。
【００３０】
上記の構成により、前脚（４）を形成するＵ字形部材（６）の２個のハブ（９）は、金属板の管軸（１０）に固着して接続される。
【００３１】
図１及び図２に、符号（１６）で示す第２のＵ字形部材も、好ましくは金属の鋳造品であって、側面が２個の後脚（５）を形成し、前脚（４）の中央部（７）の足（８）と同様なゴム製の足（１７）（図１参照）が装着されている。
【００３２】
後脚（５）の上端には、２個のブッシュ（１１）（図４、図５参照）に回転可能に装着されたハブ（１８）を設け、ブッシュ（１１）とハブ（１８）との間には、前述のブッシュ（１５）とハブ（９）の中心孔（１４）との関係と同じ理由で、円錐形をなすハブ（１８）の中心孔（２０）に適合するナイロン製のブッシュ（１９）が介挿されている。
【００３３】
上記の構成により、後脚（５）を形成する部材（１６）は、前脚（４）を形成する部材（６）に対して、金属板の管軸（１０）の軸線（Ａ）回りに回転可能に枢着されている。
【００３４】
ただし、これらの部材は、自由に相対的に回転するのではなく、以下に説明する制止手段により、両側の終端の間の角度範囲に制限されている。
【００３５】
詳細には、図４、図８、図９及び図１２、図１３に示されているように、各ハブ（１８）には、ハブ（９）と対向する前面に、軸線（Ａ）を中心とする円弧をなす２個の扇形部（２１）が、軸線方向に突設されており、ハブ（９）の対向面に形成された円弧状の溝（２２）に摺接して挿入されるようになっている。
【００３６】
各扇形部（２１）の端面は、対応する円弧状溝（２２）の端面に交互に当接して、ハブ（１８）とハブ（９）との相対的な回転範囲の両端を限定する当り面としてはたらく。
【００３７】
図８及び図９に示すように、これらの制止位置の１つ（図８）は、椅子を使用する開いた状態とした場合で、前脚（４）と後脚（５）とが分離して開かれている。
【００３８】
他方の制止位置（図９）は、前脚（４）と後脚（５）とを折畳んだ状態で、２組の脚は、互いに平行に並べて配置される。
【００３９】
本発明の椅子の座板の部材は、上面パネル（２３）（図４）と、２個の側面ブッシュ（２５）（図には片側のみを示す）に接続された下面パネル（２４）とを備えている。
【００４０】
下面パネル（２４）は、金属板の管軸（１０）を見えないように覆っている。
【００４１】
ブッシュ（２５）は、ブッシュ（１１）に対して回転可能に装着され、両ブッシュの間には、もう１つのナイロン製ブッシュ（２６）が介挿されている。
【００４２】
すなわち、座板部材は、金属板の管軸（１０）に対して軸線（Ａ）回りに回転できるように、前脚（４）に接続されている。
【００４３】
この場合も、ハブ（１８）の円弧状溝（２８）に対向して、ブッシュ（２５）の前面に突設した扇形部（２７）の両端により、相対的な回転範囲が限定される。
【００４４】
図１０及び図１１は、この両端の制止位置を示し、図１０は、椅子を開いた状態で、図１１は、座板を垂直に折畳んだ状態を示している。
【００４５】
当然ながら、前脚（４）と後脚（５）とを分離して開いた位置とした場合にも、座板（２）を、上昇位置まで軸線（Ａ）回りに回転させることができるので、人々は、前後に配置した椅子列の間を、容易に通行することができる。
【００４６】
椅子の背もたれ板（３）は、前脚を形成する部材（６）、後脚を形成する部材（１６）及び座板（２）の部材から分離した第４部材（２９）の一部を形成している。
【００４７】
図２に示すように、部材（２９）は、２個の側面アーム（３０）を備え、その下端のハブ（３１）は、同じくブッシュ（１１）により、軸線（Ａ）回りに回転可能に支承されている。
【００４８】
図４、図５及び図１２、図１３に示すように、各ハブ（３１）は、ハブ（９）と対向する面に円錐形の凹孔（３２）を有し、円筒体（３４）の円錐部（３３）が嵌合されるようになつている。
【００４９】
円筒体（３４）は、軸線方向の透孔（３５）を有し、ナット（３６）が透孔（３５）の段差に当接して装着されている。ボルト（３７）をハブ（３１）に通して、ナット（３６）に螺合し、円筒体（３４）の円錐部（３３）を凹孔（３２）内に固定してある。
【００５０】
円筒体（３４）は、ブッシュ（１１）中で軸線（Ａ）回りに回転可能に支承されている。
【００５１】
背もたれ板（３）は、軸線（Ａ）回りに回転できるが、自由に回転できるのではなく、金属板の管軸（１０）中に配置され、（図示の実施例では、２枚の金属板を重積して形成された）板バネ（３８）で構成したスプリング装置により制止されている。
【００５２】
板バネ（３８）は、管軸（１０）中に長さ方向に設置され、中央部が、図１４に示すように、管軸（１０）の側壁を内側に突設した部分により保持されている。
【００５３】
板バネ（３８）の両端は、円筒体（３４）の円錐部（３３）の逆側の端部（４１）に、止めピン（４０）により係着されている。
【００５４】
図１４において、金属板の管軸（１０）の２個の突起は、板バネ（３８）の中央部が反時計回り方向（図１４における方向、つまり、背もたれ板（３）が後方へ傾動する方向）に回転することを制止している。
【００５５】
したがって、背もたれ板（３）が後方へ傾動すると、ハブ（３１）は、板バネ（３８）の付勢力に対抗して、軸線（Ａ）回りに回転する。このとき、板バネ（３８）は、中央部が固定されて、左右の両半部が、背もたれ板（３）を支承する２個のアーム（３０）の傾動に対抗するねじり杆としてはたらく。
【００５６】
また、背もたれ板（３）の後方への傾動は、各ハブ（９）のハブ（３１）に対向する面に形成された２個の扇形部（４２）（図４、図６、図７、図１２、図１３参照）と、ハブ（３１）のハブ（９）に対向する面に形成された円弧状の溝（４３）とが係合して形成される、回転角度範囲の両端位置の間に制限されている。
【００５７】
椅子の使用時と折畳み時とにおける、背もたれ板のアーム（３０）と前脚（４）との相対的な位置関係を示す図６及び図７に示すように、円弧状の溝（４３）と扇形部（４２）との角度の差は、背もたれ板（３）が後方へ傾動する角度に対応している。
【００５８】
図１及び図６には、背もたれ板（３）が後方へリクライニングする終端位置が、点線で示されている。
【００５９】
背もたれ板（３）を立ち上げた位置（図６に実線で示す位置）にしたときには、前方への傾動は、板バネ（３８）によっては、図１４に示すように、中央部が管軸（１０）に対して時計回り方向に回転できるので、制止されないが、扇形部（４２）が円弧状の溝（４３）の一端に当接して制止される。
【００６０】
図３は、本発明の椅子を折畳んで、容積を減少させた状態を示し、図１５は、複数個の本発明の椅子を折畳んだ状態で重ねあわせて、背もたれ板（３）及び座板（２）を互いに重積させることにより、占有床面積を最小限に節約できることを示す図である。
【００６１】
上述説明から理解されるように、本発明の椅子は、構成が簡単で、かつ、着座者にきわめて快適な座り心地を与えるという利点を備えている。
【００６２】
なお、背もたれ板の後方への傾動に対抗するスプリング装置は、図示の実施例に示した手段に限られるものではなく、たとえば、ハブ（３１）に他の形式の２個のスプリングを取付けるようにしてもよく、また、ねじり作用を生じる２個の緩衝ゴムを使用するようにしてもよい。
【００６３】
要するに本発明は、上述した図示の実施例の構成内容に限定されるものではなく、特許請求の範囲にの記載から逸脱しない範囲における、広範な応用変形を含むものである。
【００６４】
【発明の効果】
（ａ）  収納時に場所をとらない折畳み椅子であって、背もたれ板を後方に傾動でき、かつ、快適な座り心地を得ることができる。
【００６５】
（ｂ）  従来の折畳み椅子における安定な使用状態と、簡単に折畳むことができる便利さとを保持しながら、背もたれ板が傾動できるリクライニング椅子を得ることができる。
【００６６】
（ｃ）  前脚と後脚とを開いた使用状態で、座板のみを上方へ跳ね上げて、前後に配置した椅子列の間に、通路を形成することができる。
【図面の簡単な説明】
【図１】本発明の折畳み椅子を使用状態とした側面図である。
【図２】図１の折畳み椅子の正面図である。
【図３】図１の椅子を折畳んだ状態を示す側面図である。
【図４】図１のＩＶ−ＩＶ線における拡大断面図である。
【図５】図４のＶ−Ｖ線に沿った断面図である。
【図６】椅子を使用状態としたときの、図４のＶＩ−ＶＩ線に沿った断面図である。
【図７】椅子を折畳んだときの、図６と同じ個所の断面図である。
【図８】図４のＶＩＩＩ−ＶＩＩＩ線に沿った断面図である。
【図９】椅子を折畳んだときの、図８と同じ個所の断面図である。
【図１０】図４のＸ−Ｘ線に沿った部分断面図である。
【図１１】椅子を折畳んだときの、図１０と同じ個所の断面図である。
【図１２】図６〜図１１の各部材の詳細を示す分解斜視図である。
【図１３】座板を取り付けた後、図１２を角度を変えて見た分解斜視図である。
【図１４】図４のＸＩＶ−ＸＩＶ線における断面図である。
【図１５】３個の本発明の椅子を折畳んで、重ねあわせた収納状態を示す側面図である。
【符号の説明】
（１）          椅子
（２）          座板
（３）          背もたれ板（第３部材）
（４）          前脚
（５）          後脚
（６）          第１部材
（７）          中央部
（８）          ゴム足
（９）          ハブ
（１０）          金属板の管軸
（１１）          ブッシュ
（１２）          切欠き
（１３）          歯
（１４）          中心孔
（１５）          ブッシュ
（１６）          第２部材
（１７）          ゴム足
（１８）          ハブ
（１９）          ブッシュ
（２０）          中心孔
（２１）          扇形部
（２２）          溝
（２３）          上面パネル
（２４）          下面パネル
（２５）          ブッシュ
（２６）          ブッシュ
（２７）          扇形部
（２８）          溝
（２９）          第４部材
（３０）          アーム
（３１）          ハブ
（３２）          凹孔
（３３）          円錐部
（３４）          円筒体
（３５）          透孔
（３６）          ナット
（３７）          ボルト
（３８）          板バネ
（３９）          突起
（４０）          止めピン
（４１）          円筒体の端部
（４２）          扇形部
（４３）          溝
（Ａ）          軸線
（Ｓ）          中心面
【図１】
0003605775.tif 000002
【図２】
0003605775.tif 000003
【図３】
0003605775.tif 000004
【図４】
0003605775.tif 000005
【図５】
0003605775.tif 000006
【図６】
0003605775.tif 000007
【図７】
0003605775.tif 000008
【図８】
0003605775.tif 000009
【図９】
0003605775.tif 000010
【図１０】
0003605775.tif 000011
【図１１】
0003605775.tif 000012
【図１２】
0003605775.tif 000013
【図１３】
0003605775.tif 000014
【図１４】
0003605775.tif 000015
【図１５】
0003605775.tif 000016